(57)【特許請求の範囲】
【請求項１】
少なくともスキャナとプリンタとを備え、上記スキャナが一つまたは複数のページからなるドキュメントをスキャンすることにより得られたデジタルデータであるスキャンジョブを校正するためのスキャンジョブ校正装置において、
上記スキャンジョブは、上記ドキュメントの各ページをスキャンすることにより得られた画像情報を少なくとも含み、
当該スキャンジョブ校正装置は、インターフェースパネルと演算処理装置とを備え、該演算処理装置は、
上記プリンタに、上記スキャンジョブの一部分の情報として、上記ドキュメントの最初のページと最後のページとを表す２つのサムネイル画像を、１ページの校正シートに印刷させ、
上記校正シートに印刷された情報に基づいてスキャンジョブの伝送を承諾するか否かを判断したユーザが上記伝送の可否を示す選択肢を選択可能なように、該選択肢を上記インターフェースパネルに表示させ、
上記ユーザから、上記スキャンジョブの伝送を承諾しない旨の選択を、上記インターフェースパネルを介して受け付けた場合に、上記スキャンジョブを次工程の処理部に伝送する前に、上記インターフェースパネルを、上記ユーザが上記スキャンジョブの校正を指示する命令を入力可能な状態に遷移させ、
上記インターフェースパネルを介して入力された上記ユーザの命令に従って、（１）ページの順序を入れ替えること、（２）選択したページを削除すること、および、（３）空白ページを挿入すること、の少なくともいずれか１つを実行して、上記スキャンジョブを校正し、
（ｉ）上記ユーザから、上記スキャンジョブの伝送を承諾する旨の選択を、上記インターフェースパネルを介して受け付けた場合、または、（ii）上記ユーザから、上記スキャンジョブの伝送を承諾しない旨の選択を、上記インターフェースパネルを介して受け付けた場合には、上記ユーザの命令に従って上記スキャンジョブを校正した後にのみ、上記スキャンジョブを次工程の処理部に伝送することを特徴とするスキャンジョブ校正装置。
【請求項２】
当該スキャンジョブ校正装置は、上記スキャンジョブを保存するメモリを含み、
上記演算処理装置は、
上記ユーザから、上記スキャンジョブの校正を指示する命令を、上記インターフェースパネルを介して受け付けた場合に、
上記命令に従って、上記メモリに保存されたスキャンジョブを校正することを特徴とする請求項１に記載のスキャンジョブ校正装置。
【請求項３】
上記スキャンジョブは、上記画像情報、および、上記スキャン動作に際し上記ユーザによって入力された設定情報を含み、
上記演算処理装置は、さらに、
上記インターフェースパネルを介して入力された上記ユーザの命令に従って、（４）上記スキャンジョブの設定情報を編集すること、および、（５）選択したページを再スキャンすること、の少なくともいずれか１つを実行して、上記スキャンジョブを校正することを特徴とする請求項１または２に記載のスキャンジョブ校正装置。
【請求項４】
上記演算処理装置は、
上記スキャンジョブの一部分の情報として、上記スキャンジョブに関する記述情報を上記校正シートに印刷させることを特徴とする請求項１から３までのいずれか１項に記載のスキャンジョブ校正装置。
【請求項５】
上記記述情報には、
スキャンジョブの宛先を記した宛先情報、ならびに、スキャンジョブそれ自体について記したファイル情報としての、ファイル形式、圧縮方式、解像度、ファイルサイズおよびページ数、の少なくともいずれか１つが含まれることを特徴とする請求項４に記載のスキャンジョブ校正装置。
【請求項６】
上記演算処理装置は、上記スキャンジョブを、
該スキャンジョブの宛先に設定されている、上記次工程の処理部としての装置に、ネットワークを介して伝送することを特徴とする請求項１から５までのいずれか１項に記載のスキャンジョブ校正装置。
【請求項７】
上記ネットワークに接続されている上記次工程の処理部としての装置は、リモートコンピュータ、リモートコンピュータの周辺機器、または、携帯型装置であることを特徴とする請求項６に記載のスキャンジョブ校正装置。
【請求項８】
上記演算処理装置は、上記スキャンジョブを、
当該スキャンジョブ校正装置が備える上記次工程の処理部に、内部的に伝送することを特徴とする請求項１から５までのいずれか１項に記載のスキャンジョブ校正装置。
【請求項９】
当該スキャンジョブ校正装置の上記次工程の処理部は、ファクシミリまたは複写機であることを特徴とする請求項８に記載のスキャンジョブ校正装置。
【請求項１０】
上記演算処理装置は、
上記スキャンジョブを表示用または印刷用にレンダリングするために、上記スキャンジョブを上記次工程の処理部へ伝送することを特徴とする請求項１から９までのいずれか１項に記載のスキャンジョブ校正装置。
【請求項１１】
少なくともスキャナとプリンタとを備えており、上記スキャナが一つまたは複数のページからなるドキュメントをスキャンすることにより得られたデジタルデータであるスキャンジョブを校正するためのスキャンジョブ校正装置における、スキャンジョブ校正方法であって、
上記スキャンジョブは、上記ドキュメントの各ページをスキャンすることにより得られた画像情報を少なくとも含み、
上記プリンタに、上記スキャンジョブの一部分の情報として、上記ドキュメントの最初のページと最後のページとを表す２つのサムネイル画像を、１ページの校正シートに印刷させるステップと、
上記校正シートに印刷された情報に基づいてスキャンジョブの伝送を承諾するか否かを判断したユーザが上記伝送の可否を示す選択肢を選択可能なように、該選択肢を上記スキャンジョブ校正装置のインターフェースパネルに表示させるステップと、
上記ユーザから、上記伝送の可否を示す選択肢の選択を、上記インターフェースパネルを介して受け付けるステップと、
上記受け付けるステップにて、上記ユーザから、上記スキャンジョブの伝送を承諾しない旨の選択を、上記インターフェースパネルを介して受け付けた場合に、上記スキャンジョブを次工程の処理部に伝送する前に、上記インターフェースパネルを、上記ユーザが上記スキャンジョブの校正を指示する命令を入力可能な状態に遷移させるステップと、
上記インターフェースパネルを介して入力された上記ユーザの命令に従って、（１）ページの順序を入れ替えること、（２）選択したページを削除すること、および、（３）空白ページを挿入すること、の少なくともいずれか１つを実行して、上記スキャンジョブを校正するステップと、
（ｉ）上記受け付けるステップにて、上記ユーザから、上記スキャンジョブの伝送を承諾する旨の選択を受け付けた場合、または、（ii）上記受け付けるステップにて、上記ユーザから、上記スキャンジョブの伝送を承諾しない旨の選択を受け付けた場合には、上記校正するステップにて上記ユーザの命令に従って上記スキャンジョブを校正した後にのみ、上記スキャンジョブを次工程の処理部に伝送するステップとを含むことを特徴とするスキャンジョブ校正方法。
【請求項１２】
上記校正するステップは、
上記スキャンジョブ校正装置のメモリに保存されたスキャンジョブを、上記命令に従って校正するステップを含むことを特徴とする請求項１１に記載のスキャンジョブ校正方法。
【請求項１３】
上記スキャンジョブは、上記画像情報、および、上記スキャン動作に際し上記ユーザによって入力された設定情報を含み、
上記校正するステップは、さらに、
上記インターフェースパネルを介して入力された上記ユーザの命令に従って、（４）上記スキャンジョブの設定情報を編集すること、および、（５）選択したページを再スキャンすること、の少なくともいずれか１つを実行して、上記スキャンジョブを校正するステップであることを特徴とする請求項１１または１２に記載のスキャンジョブ校正方法。
【請求項１４】
上記印刷させるステップは、
上記スキャンジョブの一部分の情報として、上記スキャンジョブに関する記述情報を上記校正シートに印刷させるステップであることを特徴とする請求項１１から１３までのいずれか１項に記載のスキャンジョブ校正方法。
【請求項１５】
上記記述情報には、
スキャンジョブの宛先を記した宛先情報、ならびに、スキャンジョブそれ自体について記したファイル情報としての、ファイル形式、圧縮方式、解像度、ファイルサイズおよびページ数、の少なくともいずれか１つが含まれることを特徴とする請求項１４に記載のスキャンジョブ校正方法。
【請求項１６】
上記伝送するステップは、上記スキャンジョブを、
該スキャンジョブの宛先に設定されている、上記次工程の処理部としての装置に、ネットワークを介して伝送するステップであることを特徴とする請求項１１から１５までのいずれか１項に記載のスキャンジョブ校正方法。
【請求項１７】
上記ネットワークに接続されている上記次工程の処理部としての装置は、リモートコンピュータ、リモートコンピュータの周辺機器、または、携帯型装置であることを特徴とする請求項１６に記載のスキャンジョブ校正方法。
【請求項１８】
上記伝送するステップは、上記スキャンジョブを、
上記スキャンジョブ校正装置が備える上記次工程の処理部に、内部的に伝送するステップであることを特徴とする請求項１１から１５までのいずれか１項に記載のスキャンジョブ校正方法。
【請求項１９】
上記スキャンジョブ校正装置の上記次工程の処理部は、ファクシミリまたは複写機であることを特徴とする請求項１８に記載のスキャンジョブ校正方法。
【請求項２０】
上記伝送するステップは、
上記スキャンジョブを表示用または印刷用にレンダリングするために、上記スキャンジョブを上記次工程の処理部へ伝送するステップであることを特徴とする請求項１１から１９までのいずれか１項に記載のスキャンジョブ校正方法。
【請求項２１】
コンピュータに、
請求項１１から２０までのいずれか１項に記載のスキャンジョブ校正方法の各ステップを実行させるためのプログラムを記録したコンピュータ読み取り可能な記録媒体。
【発明の詳細な説明】
【技術分野】
【０００１】
〔技術分野〕
本発明は、スキャンジョブ校正方法およびスキャンジョブ校正装置に関するものである。特に、本発明は、コンピュータネットワークに接続された周辺機器を用いた方法および装置に関する。
【背景技術】
【０００２】
〔背景技術〕
従来、スキャナはパーソナルコンピュータ（ＰＣ）の周辺機器として用いられてきた。一つもしくは複数のスキャンされたドキュメントや画像が、ファイルとしてＰＣに保存され、ＰＣの表示画面に表示され、あるいは、ローカルプリンタで印刷される。もし、このＰＣがネットワークに接続されている場合には、上記スキャンされたドキュメントや画像のファイルは、そのネットワーク上の他の装置からアクセスすることも可能である。
【０００３】
さらに近年、ネットワークに接続可能なネットワークスキャナが提供されるようになった。通常、このネットワークスキャナには、複数のドキュメントが自動でスキャンされるよう、ドキュメントを処理したり、給紙したりする機能が備えられている。また、ネットワークスキャナには、通常、従来の複写機としての機能も備わっている。
【０００４】
また、ネットワークスキャナは、もっと一般的な（“多機能周辺機器（multi-function peripherals）”（“ＭＦＰ’ｓ”）の一部としても用いられてきた。多機能周辺機器は、出力画像（例えば、印刷されたドキュメント）を供給したり、同様に入力画像（例えば、スキャンされたドキュメント）を受け取ったりする機能を備える。
【０００５】
スキャナや多機能周辺機器のユーザが、ネットワーク上の最終宛先に、スキャンされた一つもしくは複数のドキュメントを送信する前に、それらを確認する必要があることがよくある。この必要性は、さまざまな理由から生じる。例えば、所望の画質を生み出すのに必要なスキャナの設定（例えば、解像度、暗さ（darkness）など）を行う時点より前では、ユーザはそれらを確認できない。カラースキャンは、スキャンしたものを送る前に、暗さの制御など、画像拡張を行うので、特にメリットがある。
【０００６】
また、別の機器でドキュメントの給紙が行われる場合は、スキャンされるべきページの配置の条件が異なる。例えば、あるスキャナでは、表向きに配置しなければならなかったり、また別のあるスキャナでは、裏向きに配置しなければならなかったりする。従って、使い慣れていない特別なスキャナを使うユーザは、ドキュメントの正しい面がスキャンされたか、またそのドキュメントが正しい向きでスキャンされたか、を頻繁に確認しなければならなくなる。
【０００７】
ドキュメントそれ自体の質が元々悪い場合もあって、これによりスキャンは難しくなる。例えば、ドキュメントがしわのない、まっすぐな状態でなければ、ドキュメント給紙装置は、そのドキュメントを、スキャンされた画像が回転させられたかのように誤って取扱うか、あるいは、スキャナがそのドキュメントに適正にフォーカスすることができなくなる。これにより、画質が粗くなる。さらに、ドキュメントを給紙し損なった場合、１ページもしくは複数のページがスキャンされないまま、結果、スキャンジョブは、そのページを見落としてしまう。
【０００８】
ユーザは、目下一般に、通常別の部屋にある自分のデスクトップＰＣに、スキャンしたものをＰＣの表示画面に表示させるために、そのスキャンしたものを送ることによって、スキャンジョブを校正する。また通常、一度に見られるのは１ページだけである。もし、そのジョブがユーザの満足のいくものでなかった場合は、ユーザはスキャナのあるところに戻り、正しいプロセスで、また、同じプロセスを繰り返して、そのドキュメントを再度スキャンしなければならない。
【０００９】
ユーザが画面上でスキャンされた画像のサムネイルをプレビューできるようにしたソフトウェアも存在する。しかしながら、ネットワークスキャナ上で画質を校正するに足るサイズおよび解像度を確保するには、費用がかかる。スキャナがＰＣに接続されている場合、ＰＣの表示画面を用いることができるかもしれないが、スタンドアローンネットワークスキャナは、ＰＣや他の表示装置のそばに無いこともある。
【００１０】
従って、ユーザが望む便利な機能を備え、かつ低コストでのスキャンジョブ校正法および装置が必要になる。
【発明の開示】
【００１１】
〔発明の概要〕
本発明は、スキャンジョブを校正する方法および装置に関するものである。本発明の好適な実施形態では、複数のページを印刷機能付きスキャナを用いてスキャンするものとし、校正用のシートは、そのスキャナから印刷される。またその校正用シートには、そのスキャンジョブが含む情報のうち一部分が選択されて含まれている。ユーザは、その校正用シートをチェックして、そのチェック内容に基づき、そのスキャンジョブを承諾するか否かを選択する。スキャンジョブを承諾することが選択された後は、そのスキャンジョブは、好ましくはネットワーク上に伝送されることによって、送信される。そして、好ましくは、スキャンジョブはメモリに保存される。ここで、スキャンジョブを承諾しないことが選択されると、保存されているスキャンジョブは、送信される前にユーザの指示に従って変更される。
【００１２】
〔図の簡単な説明〕
図１は、本発明に係る多機能周辺機器を示す斜視図である。
【００１３】
図２は、ネットワークに接続された、図１に示す多機能周辺機器ブロック図である。
【００１４】
図３は、本発明によるスキャンジョブ校正シートの表示例を示す図である。
【００１５】
図４は、図１に示す多機能周辺機器のインターフェースパネルの例を示す図である。
【００１６】
図５は、図４に示すインターフェースパネルにおいて実施されるユーザインターフェースを模式的に示す図である。
【００１７】
図６は、本発明に係るスキャンジョブの好ましい校正方法を示すフローチャートである。
【００１８】
図７は、図６の方法のうちから選択された各ステップについて、その流れを説明する図である。
【００１９】
〔発明の詳細な説明〕
図１は、典型的な多機能周辺機器（“ＭＦＰ”）１０を示す。このＭＦＰは、スキャン、印刷、およびファクシミリ機能などの、複数の周辺機能を備えている。また、ＭＦＰ１０は、装置本体のユーザに、情報を表示するための表示パネル１２（例えば、（ＬＣＤアレイ（LCD array））、を有している。この表示パネル１２は、通常、上記ＭＦＰのインターフェースとしてのタッチパネルとして、ユーザが用いることができるようになっている。
【００２０】
図２の説明に戻る。ＭＦＰ１０は、本実施の形態においては、通常、ネットワーク１４に接続されているが、ＰＣなどのローカルホスト専用の周辺機器としても用いられ得るということを理解されたい。このＭＦＰは、スキャナ１１、プリンタ１３、および中央演算処理装置１８を含んでいる。またＭＦＰさらに、スキャナ１１から受け取ったスキャンされた画像を保存するためのシステムメモリ１６を含んでいる。上記保存された画像は、中央演算処理装置１８によって、ネットワーク１４を介して、ネットワーク上の宛先（例えば、該ネットワークに接続されているコンピュータや他の周辺機器など）に分配するために伝送される。例えば、リモートコンピュータ、リモート周辺機器（remote peripherals）、ＰＤＡや携帯電話などの携帯型装置が、該ネットワークに接続されていてもよい。また上記スキャンジョブの分配は、ファクシミリ、インターネットファクシミリ（“I-faxing”）、Ｅ−Ｍａｉｌ送信、またはファイルに保存するために、つまり、スキャンジョブを表示用または印刷用にレンダリングするために実施される。
【００２１】
上記保存された画像は、内部的にＭＦＰへと伝送されてもよい。例えば、ＭＦＰがファクシミリ機能を有しているとすれば、ファクシミリ送信するのに必要な画像を作成するのに必要な処理を、中央演算処理装置１８が行うなどのために、上記保存された画像を内部的に伝送してもよい。また、例えば、ＭＦＰを複写機として用いる場合、プリンタ１３で印刷するために、上記保存された画像を、内部的にＭＦＰへと伝送してもよい。
【００２２】
中央演算処理装置１８は、さらに、以下に記載の機能を実施するための命令プログラムを実行することができる。この命令プログラムは、ソフトウェア、ハードウェア、およびそれらの組み合わせにより、実現される。ここで、ソフトウェアで実現する場合、ＣＤ−ＲＯＭ、ハードディスク、メモリ、またはＰＬＡなどのいずれの取り外し可能媒体または固定媒体に記録されてもよい。
【００２３】
このＭＦＰは、スキャンジョブを校正するための新規の手段を備えている。ここで、スキャンジョブの対象は、一つもしくは複数のスキャンされたドキュメントである。ドキュメントは、印刷すべき用紙としての、一つもしくは複数のページまたはシートを個々に有している。図３に示す通り、本発明によれば、ＭＦＰ１０は、スキャンジョブの内容を示す“校正シート（proof sheet）”２０を出力（つまり、印刷）する。この校正シート２０には、スキャンジョブが含む情報の一部分が、選択されて含まれている。与えられたスキャンジョブをネットワークへ伝送するか、あるいは、伝送前にもう一度スキャンジョブをやり直すか、をユーザが決定するのに効果的に役立つように、情報は選択される。上記校正のプロセスは、スキャンジョブがＭＦＰメモリ１６からネットワーク１４へと伝送される前に、ユーザが満足するまで、何回でも繰り返すことが可能である。
【００２４】
さらに、とりわけ、校正シート２０は、異なる二つのタイプの情報を有する。一つは、（１）記述情報２２、もう一つは、（２）画像情報２４である。記述情報の例としては、スキャンジョブの宛先を記した宛先情報２２ａ、スキャンジョブそれ自体について記したファイル情報２２ｂ、ファイルの状況（context）や提供元（background）を記した参照情報２２ｃなどが挙げられる。上記情報２２の例を示すが、これが全てではない。
【００２５】
画像情報２４は、好ましくは、スキャンジョブの一つもしくは複数の各ページを示す、一つもしくは複数のサムネイル画像である。好ましくは、最初のページ２４ａと、最後のページ２４ｂとだけを、図示する通りに表示する。しかし、いくつかの別のまたは追加のページが希望に応じて選択されてもよい。上記画像情報は、そのスキャンジョブにおける画像情報の総ページ数よりも少ないことが望ましいが、本発明の原理を逸脱しない範囲で、好みに応じて、全ての情報を出力してもよい。例えば、最初のページ２４ａおよび最後のページ２４ｂのサムネイル画像を、３ページ以上からなるスキャンジョブを示すのに用いることができる。これにより、ユーザは、全てのページをチェックせずとも、そのスキャンジョブを承諾するかどうかを判断することができる。またサムネイル画像は、そのスキャンジョブの全てのページを表示してもよい。これにより、ユーザはページごとにオプションのチェックすることができる。ここで、印刷ジョブに含まれる情報の部分集合のみを供給するとは言っても、サムネイル画像の一つ一つは、フル画像を圧縮したものであるので、スキャンジョブの全てのページのサムネイル画像が供給されることは、理解されたい。
【００２６】
校正シート２０は、一つもしくは複数ページ印刷される。そのスキャンジョブを表示するのに用いる校正シートが複数ページにわたる場合は、ほとんど、あるいは全ての記述情報２２は、一つのページを除いた残り全てのページから、都合よく省略される。
【００２７】
校正シート２０の空いたスペースは、画像情報２４のために充てられる。この充てられたスペースは、ユーザが画像情報の画質を視認してチェックしやすいようにするために、記述情報２２に充てられたスペースと、相対的に実質同じ大きさであることが好ましい。上記画像情報を、そのページを画像情報に収めるために、希望に応じて、実用性を最大にする方法で、歪曲または回転させることもある。しかし、通常は、画像情報は、最もよく用いられている縮尺、つまり、図示したように、ＷＹＳＩＷＹＧ（“what you see is what you get”）（見たものがそのまま印刷される）形式で、表示される。
【００２８】
図４に示すのは、ＭＦＰ１０の典型的なインターフェースパネル２６である。前述の表示パネル１２は、（例えば２６ａにて）データ入力し、（例えば２６ｂにて）命令入力するための専用キーパッドとともに、このインターフェースパネルの一部である。このインターフェースパネル２６は、また、状態表示部（例えば２６ｃ）も含む。
【００２９】
表示パネル１２は、本発明に従って校正のプロセスを実行するようＭＦＰ１０に命令するために、本発明に従ってユーザによって用いられることが好ましい。図５は、インターフェースパネル２６の表示パネル１２において実施される典型的なユーザインターフェースを模式的に示す図である。図には、さまざまなレベルＬ１、Ｌ２、・・・Ｌ８の表示パネル１２を示す。
【００３０】
ユーザは、表示パネル１２のレベルＬ１の段階にて、校正シート２０をチェックする。ユーザは、スキャンジョブを承諾したり、送信したりするオプションを利用することができる。レベルＬ１にて“ＯＫ”のキーパッドに触れると、そのスキャンジョブを承諾したことを示す。そして、そのスキャンジョブを、ネットワーク１４に接続されたリモートコンピュータや、コンピュータ周辺機器などへ送信するために、このネットワーク１４へと伝送する。表示パネルのＬ２でのトランザクション処理は、そのジョブが送信されたことを示す。
【００３１】
あるいは、レベルＬ１にてキーパッドＢに触れると、表示パネル１２は、レベルＬ３のトランザクション処理に移る。ここでは、そのスキャンジョブの再スキャンオプションを利用することができる。レベルＬ３にて“ＯＫ”のキーパッドに触れると、表示パネルは、レベルＬ４のトランザクション処理に移る。レベルＬ４は、ＭＦＰのドキュメントの入力における、ドキュメントの配置と、再スキャンの開始の動作とをユーザに命令する。
【００３２】
あるいは、レベルＬ３にてキーパッドＢに触れると、表示パネル１２は、レベルＬ５のトランザクション処理に移る。ここでは、ユーザは、スキャンジョブの設定を編集するオプションを利用することができる。レベルＬ５にて“ＯＫ”のキーパッドに触れると、表示パネルは、レベルＬ６のトランザクション処理に移る。ここでは、ユーザは、ユーザが選択した設定を利用することができる。図５には、例として二つの設定しか図示していないが、全てそろった設定メニューを表示することもできるし、好ましくは、ＭＦＰの標準的な設定メニューを表示することもできるということは、容易に理解できる。
【００３３】
あるいは、レベルＬ５にてキーパッドＢに触れると、表示パネル１２は、レベルＬ７のトランザクション処理に移る。ここでは、ユーザは、スキャンジョブのキャンセルを行うオプションを利用することができる。ここで“ＯＫ”のキーパッドに触れると、表示パネルは、レベルＬ８のトランザクション処理に移る。レベルＬ８には、スキャンジョブのキャンセルが表示される。キャンセルは、例えば、システムメモリ１６の全てあるいは一部を消去することにより実施される。
【００３４】
レベルＬ３、Ｌ５、またはＬ７においてキーパッドＡに触れると、表示パネル１２は、レベルＬ１、Ｌ３、またはＬ５のトランザクション処理にそれぞれ移る。これにより、ユーザは直前のオプションに戻ることができる。
【００３５】
図５を参照しながら上述した簡単なインターフェースを、ボタンを追加するのと同じく機能を追加するに応じて設計することは、通常の技術を有する当業者によって理解され得る。また、上記インターフェースの構造および順序は、希望に応じて入れ替えることが可能であるということも理解されたい。本発明によれば、また、選択したページ、ドキュメントの一部、またはスキャンジョブを、レベルＬ４での変更に応じて再スキャンすることも可能である。
【００３６】
図６は、本発明に係るスキャンジョブの好ましい校正方法３０を示すフローチャートである。ステップ３２にて、ユーザは“スキャン”機能を選択し、一つもしくは複数のスキャンジョブとしてのドキュメントをＭＦＰ１０の給紙装置に配置する。ステップ３４にて、ユーザは、ファイルタイプ、解像度、宛先、圧縮、メタデータなどの、スキャンジョブの構成の各設定について選択を行う。ステップ３６にて、ユーザは、ＭＦＰ１０にスキャンの“開始”を命令する。ステップ３８にて、ＭＦＰは、ページごとにスキャンジョブ読み込み、スキャン画像をデジタルデータへと変換し、デジタルデータをシステムメモリ１６に保存する。
【００３７】
全てのページがスキャンされ、それらを示すデータが保存されると、ステップ４０にて、本発明に係る校正シートが、生成され、印刷される。ステップ４２にて、ユーザは、校正シートをチェックし、そのスキャンジョブを承諾するか、拒絶する。
【００３８】
そのスキャンジョブを承諾する場合、ステップ４４にて、ユーザは、ＭＦＰ１０にそのスキャンジョブを宛先に“送信する”よう命令する。一方、そのスキャンジョブを承諾しない場合、本発明により、ユーザは、ステップ４６にて、例えば、スキャンジョブの設定を編集すること（４６ａ）、選択したページを再スキャンすること（４６ｂ）、ページの順序を入れ替えること（４６ｃ）、選択したページを削除すること（４６ｄ）、空白ページを挿入すること（４６ｅ）、または、スキャンジョブをキャンセルすること（４６ｆ）などにより、そのスキャンジョブを修正することができる。スキャンジョブ全体が、削除されなかった場合には、ユーザは、そのスキャンジョブを修正した形でステップ４４へと送ることにより、ステップ４６にて、そのスキャンジョブを完了することができる。
【００３９】
図７は、方法３０のうちから選ばれた各ステップについて、その流れを説明する図である。該方法の容易さを強調するために、ユーザの視点から説明する。
【００４０】
本発明に係る好ましい方法および装置が図示され、記載されてきたが、ここに記載の特徴を一つもしくは複数含む他の方法および装置も、本発明の原理を逸脱しない範囲で、採用することが可能である。例えば、ここでは、スキャンジョブをネットワーク上の宛先に送信するためのネットワークに接続された、ＭＦＰの場合について、記載したが、スタンドアローンの（ネットワークに接続されていない）各装置、またはローカルコンピュータやローカル周辺機器に接続されている各装置を含む、いずれの印刷機能付きスキャン装置においても本発明を適用することができる。
【００４１】
本明細書で用いた用語および表現は、ここでは、説明のために用いた用語であり、本発明を限定するためのものではない。また、ここで用いた用語および表現においては、ここで図示および記載した特徴と同等のもの、またはその一部を排除する意図は決してなく、本発明の範囲は、以下に記載の各請求項によってのみ定義され、限定されるということを理解されたい。
【図面の簡単な説明】
【００４２】
【図１】本発明に係る多機能周辺機器を示す斜視図である。
【図２】ネットワークに接続された、図１に示す多機能周辺機器ブロック図である。
【図３】本発明によるスキャンジョブ校正シートの表示例を示す図である。
【図４】図１に示す多機能周辺機器のインターフェースパネルの例を示す図である。
【図５】図４に示すインターフェースパネルにおいて実施されるユーザインターフェースを模式的に示す図である。
【図６ａ】本発明に係るスキャンジョブの好ましい校正方法を示すフローチャートである。
【図６ｂ】本発明に係るスキャンジョブの好ましい校正方法を示すフローチャートである。
【図７】図６の方法のうちから選ばれた各ステップについて、その流れを説明する図である。
【符号の説明】
【００４３】
１０  多機能周辺機器
１１  スキャナ
１２  表示パネル
１３  プリンタ
１４  ネットワーク
１６  メモリ
１８  演算処理装置
２０  校正シート
２２  記述情報
２４  画像情報
２６  インターフェースパネル
【図１】
0004767553.tif 000002
【図２】
0004767553.tif 000003
【図３】
0004767553.tif 000004
【図４】
0004767553.tif 000005
【図５】
0004767553.tif 000006
【図６ａ】
0004767553.tif 000007
【図６ｂ】
0004767553.tif 000008
【図７】
0004767553.tif 000009